(57)【要約】【課題】  ユーザに対して動作状態に応じたヘルプを行い、使い勝手を向上させた画像形成装置を提供することである。【解決手段】  画像データに基づいて用紙に画像を形成する画像形成手段と、画像形成装置の動作を制御する制御手段と、ユーザが操作入力する操作手段とを有する画像形成装置において、前記操作手段がユーザがヘルプ機能を選択するためのヘルプキーを有し、前記制御手段が、たとえば、画像形成が開始できない旨の表示が前記操作手段によってされている状態で、前記ヘルプキーによってヘルプ機能が選択された場合、前記画像形成が開始できない旨の詳細を前記操作手段によって表示するよう制御する。【選択図】  図３
2005037886.tif 000002
【特許請求の範囲】
【請求項１】
画像形成装置において、
画像データに基づいて画像を形成する画像形成手段と、
メッセージを表示するための表示手段と、
前記メッセージの詳細に関する情報を記憶する記憶手段と
を有し、
前記表示手段は、前記記憶手段に前記メッセージの詳細に関する情報が記憶されているメッセージを表示する場合、前記メッセージの詳細を表示可能であることを示す識別情報を表示する
ことを特徴とする画像形成装置。
【請求項２】
前記表示手段に前記メッセージを表示させるための制御手段をさらに有し、
前記記憶手段は、前記メッセージの詳細に関する情報を前記メッセージに関する情報と対応付けて記憶し、
前記制御手段は、前記表示手段に前記メッセージを表示させるとき、前記記憶手段に前記メッセージの詳細に関する情報が記憶されているか否かを認識し、前記記憶手段に前記メッセージの詳細に関する情報が記憶されていると認識した場合、前記表示手段に前記メッセージとともに前記識別情報を表示する
ことを特徴とする請求項１に記載の画像形成装置。
【請求項３】
前記記憶手段は、前記メッセージに関する情報と対応付けて前記メッセージの詳細に関する情報が記憶されていることを示す対応情報を記憶し、
前記制御手段は、前記対応情報に基づいて、前記記憶手段に前記メッセージの詳細に関する情報が記憶されているか否かを認識する
ことを特徴とする請求項２に記載の画像形成装置。
【請求項４】
ユーザからの操作入力を受付ける操作手段をさらに有し、該操作手段が、前記表示手段へのヘルプメッセージの表示の指示をユーザが行うためのヘルプキーを有し、
前記制御手段は、前記操作手段が操作されたら前記表示手段の表示内容を変化させ、
前記識別情報は、前記表示手段によって表示される複数のメッセージのそれぞれについて、前記ヘルプキーが操作されたときに前記表示手段に前記メッセージの詳細に関する情報を表示可能であるか否かをユーザが識別するための情報である
ことを特徴とする請求項２または３に記載の画像形成装置。
【請求項５】
前記表示手段に前記メッセージとともに前記識別情報が表示されているときに前記ヘルプキーが操作された場合、前記制御手段は、前記メッセージの詳細に関する情報に基づいて、前記表示手段に前記メッセージの詳細を表示させる
ことを特徴とする請求項４に記載の画像形成装置。
【請求項６】
前記メッセージは、前記表示手段に、前記画像を形成するための条件を設定するための設定画面とともに表示され、
前記表示手段に前記メッセージとともに前記識別情報が表示されているときに前記ヘルプキーが操作された場合、前記制御手段は、前記メッセージの詳細に関する情報に基づいて、前記表示手段に前記メッセージの詳細を表示させ、
前記表示手段に前記メッセージとともに前記識別情報が表示されていないときに前記ヘルプキーが操作された場合、前記制御手段は、前記設定画面の詳細を表示させる
ことを特徴とする請求項４に記載の画像形成装置。
【請求項７】
前記メッセージは、前記表示手段に、前記画像を形成するための条件を設定するための設定画面とともに表示され、
前記制御手段は、前記表示手段に前記識別情報が表示されているときに前記ヘルプキーが操作された場合、前記表示手段に前記メッセージの詳細に関する情報を表示させ、前記表示手段に前記識別情報が表示されていないときに前記ヘルプキーが操作され、且つ前記設定画面に関する詳細情報が前記記憶手段に記憶されていた場合、前記表示手段に前記設定画面に関する詳細を表示させる
ことを特徴とする請求項４に記載の画像形成装置。
【請求項８】
前記記憶手段は、前記設定画面に対応する詳細情報を、前記設定画面に関する情報と対応付けて記憶し、
前記制御手段は、前記表示手段に前記識別情報が表示されていないときに前記ヘルプキーが操作された場合、前記記憶手段に前記設定画面に対応する詳細情報が記憶されているか否かを判断し、記憶されている場合には、前記表示手段に前記設定画面に関する詳細情報を表示させる
ことを特徴とする請求項７に記載の画像形成装置。
【請求項９】
前記メッセージは、ユーザへの操作指示であり、
前記メッセージの詳細は、前記操作指示の詳細であり、
前記表示手段に前記ユーザへの操作指示とともに前記識別情報が表示されているときに前記ヘルプキーが操作された場合、前記制御手段は、前記表示手段に前記操作指示の詳細を表示させる
ことを特徴とする請求項５に記載の画像形成装置。
【請求項１０】
前記メッセージは、画像形成が開始できない旨の示すメッセージであり、
前記メッセージの詳細は、画像形成が開始できない旨の詳細であり、
前記表示手段に画像形成が開始できない旨を示すメッセージとともに前記識別情報が表示されているときに前記ヘルプキーが操作された場合、前記制御手段は、前記表示手段に画像形成が開始できない旨の詳細を表示させる
ことを特徴とする請求項５に記載の画像形成装置。
【請求項１１】
画像形成装置において、
画像データに基づいて画像を形成する画像形成手段と、
ユーザからの操作入力を受付ける操作手段と、
前記操作手段が操作された操作内容に応じて表示内容が変化する表示手段と、
前記表示手段を制御するための制御手段と
を有し、
前記操作手段は、ヘルプ機能を選択するためのヘルプキーを有し、
画像形成できない旨のメッセージを前記表示手段が表示しているときに前記ヘルプキーが操作された場合、前記制御手段は、前記表示手段に画像形成を開始できない旨の詳細を表示させる
ことを特徴とする画像形成装置。
【請求項１２】
画像形成装置において、
画像データに基づいて画像を形成する画像形成手段と、
ユーザからの操作入力を受付ける操作手段と、
前記操作手段が操作された操作内容に応じて表示内容が変化する表示手段と、
前記表示手段を制御するための制御手段と
を有し、
前記操作手段は、ヘルプ機能を選択するためのヘルプキーを有し、
ユーザへの操作指示を示すメッセージを前記表示手段が表示しているときに前記ヘルプキーが操作された場合、前記制御手段は、前記表示手段に前記ユーザへの操作指示の詳細を表示させる
ことを特徴とする画像形成装置。
【請求項１３】
画像形成装置において、
画像データに基づいて画像を形成する画像形成手段と、
ユーザからの操作入力を受付ける操作手段と、
メッセージとともに前記画像を形成するための条件を設定するための設定画面を表示する表示手段と、
前記メッセージの詳細に関する情報を記憶する記憶手段と、
前記表示手段を制御するための制御手段と
を有し、
前記操作手段は、ヘルプ機能を選択するためのヘルプキーを有し、
前記制御手段は、前記ヘルプキーが操作されたとき、前記表示手段に表示されているメッセージと対応する前記メッセージの詳細に関する情報が前記記憶手段に記憶されている場合、前記表示手段に前記メッセージの詳細を表示させ、前記表示手段に表示されているメッセージと対応する前記メッセージの詳細に関する情報が前記記憶手段に記憶されていない場合には、前記表示手段に前記設定画面の詳細を表示させる
ことを特徴とする画像形成装置。
【請求項１４】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、
前記操作手段がユーザがヘルプ機能を選択するためのヘルプキーを有し、
前記制御手段が、画像形成が開始できない旨の表示が前記表示手段によってされている状態で、前記ヘルプキーによってヘルプ機能が選択された場合、前記画像形成が開始できない旨の詳細を前記表示手段によって表示するよう制御する
ことを特徴とする画像形成装置。
【請求項１５】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、
前記操作手段がユーザがヘルプ機能を選択するためのヘルプキーを有し、
前記制御手段が、ユーザへの操作指示を行う表示が前記表示手段によってされている状態で、前記ヘルプキーによってヘルプ機能が選択された場合、前記ユーザへの操作指示の詳細を前記表示手段によって表示するよう制御する
ことを特徴とする画像形成装置。
【請求項１６】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、
前記操作手段がユーザがヘルプ機能を選択するためのヘルプキーを有し、
前記制御手段が、前記表示手段によって表示する複数のメッセージのうちのそれぞれについて、前記ヘルプ機能によってメッセージの詳細を表示可能なものであるか否かをユーザが識別するための識別情報を前記表示手段によって表示するよう制御する
ことを特徴とする画像形成装置。
【請求項１７】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置の表示制御方法において、
前記操作手段がユーザがヘルプ機能を選択するためのヘルプキーを有し、
画像形成が開始できない旨の表示が前記表示手段によってされている状態で、前記ヘルプキーによってヘルプ機能が選択された場合、前記画像形成が開始できない旨の詳細を前記表示手段によって表示するよう制御する
ことを特徴とする画像形成装置の表示制御方法。
【請求項１８】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置の表示制御方法において、
前記操作手段がユーザがヘルプ機能を選択するためのヘルプキーを有し、
ユーザへの操作指示を行う表示が前記表示手段によってされている状態で、前記ヘルプキーによってヘルプ機能が選択された場合、前記ユーザへの操作指示の詳細を前記表示手段によって表示するよう制御する
ことを特徴とする画像形成装置の表示制御方法。
【請求項１９】
画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置の表示制御方法において、
前記操作手段がユーザがヘルプ機能を選択するためのヘルプキーを有し、
前記表示手段によって表示する複数のメッセージのうちのそれぞれについて、前記ヘルプ機能によってメッセージの詳細を表示可能なものであるか否かをユーザが識別するための識別情報を前記表示手段によって表示するよう制御する
ことを特徴とする画像形成装置の表示制御方法。
【発明の詳細な説明】
【技術分野】
【０００１】
本発明は、たとえば電子写真方式により用紙に画像形成する画像形成装置およびその表示制御方法に関する。
【背景技術】
【０００２】
従来から、一様に帯電させた感光体の感光層に光を当てることによって露光して潜像を形成し、この潜像を感光層にトナーを付着させることによって現像し、これを用紙に転写して画像形成を行うディジタル複写機等の電子写真方式の画像形成装置がよく知られている。
【０００３】
このような画像形成装置において最近では多機能化が進み、これに伴い、その操作方法等も複雑化してきており、ユーザには覚えきれず、操作方法等を調べたい場合が生じてくる。
【０００４】
これに対して、画像形成装置の多機能化によって、いわゆる取扱説明書やマニュアルなども膨大な量になってしまい、こうなると、ユーザが手軽に調べることができず、また自分に必要な内容を見つけ出すのが非常に困難であるという問題があった。
【０００５】
また、このような取扱説明書等を見ながら操作する場合には、参照のしづらさ等の理由から、画像形成装置の誤操作を行ってしまう可能性も増加してしまう。
【０００６】
特許文献１に記載の発明は、このような状況に対してなされ、画像形成装置の操作パネル上に操作方法などを文章で表示することによって、ユーザが迷うことなく確実に所望の操作を行うことができるようにしようとしている。
【０００７】
また、従来の画像形成装置では、ユーザに情報表示を行う表示部の機能とユーザからの入力を受付ける入力部の機能とを併せ持つ操作パネルを有する操作手段において、ヘルプキーが押下された際に画像形成装置の操作の説明を行うヘルプ機能が知られている。以下に、図１１および図１２を参照しながら従来の画像形成装置のヘルプ機能について説明する。
【０００８】
図１１は、従来の画像形成装置の操作パネルにおける表示例を示す図であって、（ａ）はヘルプキー押下前の表示画面の例を示す図であり、（ｂ）はヘルプキー押下後の表示画面の例を示す図である。
【０００９】
また、図１２は、従来の画像形成装置の操作パネルにおける表示例を示す図であって、（ａ）はヘルプキー押下後の表示画面の図１１（ｂ）とは別の例を示す図であり、（ｂ）は（ａ）でハードキーを選択した場合の表示画面の例を示す図である。
【００１０】
図１１（ａ）、（ｂ）および図１２（ａ）、（ｂ）において２００は表示画面であり、図１２（ａ）において２０１は画像形成装置に設けられたハードキーについての説明の表示を選択するためのボタンである。
【００１１】
図１１（ａ）は、画像形成装置によって原稿画像を読み取る際の読込条件を設定する画面である。ユーザが、この画面２００に表示されている各項目において説明が欲しい不明事項がある場合には、図示しないヘルプキーを押下する。
【００１２】
図１１（ａ）の画面２００が表示された状態でヘルプキーを押下すると、図１１（ｂ）に示すように、図１１（ａ）の画面２００に表示されていた各項目についての説明を表示する画面２００に切り替わる。
【００１３】
また、別の例として、ユーザがヘルプキーを押下したときに、図１２（ａ）に示すようなヘルプメニューを表示することもできる。
【００１４】
図１２（ａ）に示すヘルプメニューの画面２００では、いくつかの項目のうちユーザが知りたい内容に割り当てられたボタンをユーザが押下することによって、図１２（ｂ）に示すように、その項目についての説明を表示する画面２００に切り替わる。図１２（ｂ）は、図１２（ａ）においてユーザがボタン２０１を押下した場合の表示画面２００を示している。
【００１５】
【特許文献１】特開昭６２−３２６０号公報
【発明の開示】
【発明が解決しようとする課題】
【００１６】
ところが、上述した従来の画像形成装置においては以下のような問題があった。
【００１７】
すなわち、従来の画像形成装置においてはヘルプキーを押下することによってユーザに対して説明を表示することができるが、ユーザが知りたい情報を特定することが困難であるため、図１１（ｂ）に示したような様々な項目についての説明を含んだ表示になってしまい、ユーザが知りたい情報をタイムリーに表示するようなものになっていないという問題があった。また、このように様々な項目についての説明を表示するため、限られた表示エリアに表示する際に、十分な説明が表示できないという問題もあった。
【００１８】
また従来は、図１２（ａ）、図１２（ｂ）に示したように、予め設けたボタンや機能等の説明はあっても、画像形成装置の動作とともに変化する状態、たとえば画像形成装置によって原稿のコピーをしようとしたときにコピースタートボタンを押したにもかかわらずコピーができない状態である場合などでは、その説明がユーザに対してされないものであり、使い勝手が悪いものであった。
【００１９】
本発明は上記の点にかんがみてなされたもので、第１の目的は、ユーザの使い勝手を向上させた画像形成装置を提供することである。また、第２の目的は、ユーザに対して画像形成装置の動作状態に応じたヘルプを行い、使い勝手を向上させた画像形成装置を提供することである。また、第３の目的は、ユーザが知りたい情報に到達する時間を短縮することが可能な画像形成装置を提供することである。
【課題を解決するための手段】
【００２０】
本発明は上記の目的を達成するために、画像形成装置において、画像データに基づいて画像を形成する画像形成手段と、メッセージを表示するための表示手段と、前記メッセージの詳細に関する情報を記憶する記憶手段とを有し、前記表示手段は、前記記憶手段に前記メッセージの詳細に関する情報が記憶されているメッセージを表示する場合、前記メッセージの詳細を表示可能であることを示す識別情報を表示することを特徴とする。
【００２１】
また本発明は請求項１に記載の発明において、前記表示手段に前記メッセージを表示させるための制御手段をさらに有し、前記記憶手段は、前記メッセージの詳細に関する情報を前記メッセージに関する情報と対応付けて記憶し、前記制御手段は、前記表示手段に前記メッセージを表示させるとき、前記記憶手段に前記メッセージの詳細に関する情報が記憶されているか否かを認識し、前記記憶手段に前記メッセージの詳細に関する情報が記憶されていると認識した場合、前記表示手段に前記メッセージとともに前記識別情報を表示することを特徴とする。
【００２２】
また本発明は請求項２に記載の発明において、前記記憶手段は、前記メッセージに関する情報と対応付けて前記メッセージの詳細に関する情報が記憶されていることを示す対応情報を記憶し、前記制御手段は、前記対応情報に基づいて、前記記憶手段に前記メッセージの詳細に関する情報が記憶されているか否かを認識することを特徴とする。
【００２３】
また本発明は請求項２または３に記載の発明において、ユーザからの操作入力を受付ける操作手段をさらに有し、該操作手段が、前記表示手段へのヘルプメッセージの表示の指示をユーザが行うためのヘルプキーを有し、前記制御手段は、前記操作手段が操作されたら前記表示手段の表示内容を変化させ、前記識別情報は、前記表示手段によって表示される複数のメッセージのそれぞれについて、前記ヘルプキーが操作されたときに前記表示手段に前記メッセージの詳細に関する情報を表示可能であるか否かをユーザが識別するための情報であることを特徴とする。
【００２４】
また本発明は請求項４に記載の発明において、前記表示手段に前記メッセージとともに前記識別情報が表示されているときに前記ヘルプキーが操作された場合、前記制御手段は、前記メッセージの詳細に関する情報に基づいて、前記表示手段に前記メッセージの詳細を表示させることを特徴とする。
【００２５】
また本発明は請求項４に記載の発明において、前記メッセージは、前記表示手段に、前記画像を形成するための条件を設定するための設定画面とともに表示され、前記表示手段に前記メッセージとともに前記識別情報が表示されているときに前記ヘルプキーが操作された場合、前記制御手段は、前記メッセージの詳細に関する情報に基づいて、前記表示手段に前記メッセージの詳細を表示させ、前記表示手段に前記メッセージとともに前記識別情報が表示されていないときに前記ヘルプキーが操作された場合、前記制御手段は、前記設定画面の詳細を表示させることを特徴とする。
【００２６】
また本発明は請求項４に記載の発明において、前記メッセージは、前記表示手段に、前記画像を形成するための条件を設定するための設定画面とともに表示され、前記制御手段は、前記表示手段に前記識別情報が表示されているときに前記ヘルプキーが操作された場合、前記表示手段に前記メッセージの詳細に関する情報を表示させ、前記表示手段に前記識別情報が表示されていないときに前記ヘルプキーが操作され、且つ前記設定画面に関する詳細情報が前記記憶手段に記憶されていた場合、前記表示手段に前記設定画面に関する詳細を表示させることを特徴とする。
【００２７】
また本発明は請求項７に記載の発明において、前記記憶手段は、前記設定画面に対応する詳細情報を、前記設定画面に関する情報と対応付けて記憶し、前記制御手段は、前記表示手段に前記識別情報が表示されていないときに前記ヘルプキーが操作された場合、前記記憶手段に前記設定画面に対応する詳細情報が記憶されているか否かを判断し、記憶されている場合には、前記表示手段に前記設定画面に関する詳細情報を表示させることを特徴とする。
【００２８】
また本発明は請求項５に記載の発明において、前記メッセージは、ユーザへの操作指示であり、前記メッセージの詳細は、前記操作指示の詳細であり、前記表示手段に前記ユーザへの操作指示とともに前記識別情報が表示されているときに前記ヘルプキーが操作された場合、前記制御手段は、前記表示手段に前記操作指示の詳細を表示させることを特徴とする。
【００２９】
また本発明は請求項５に記載の発明において、前記メッセージは、画像形成が開始できない旨の示すメッセージであり、前記メッセージの詳細は、画像形成が開始できない旨の詳細であり、前記表示手段に画像形成が開始できない旨を示すメッセージとともに前記識別情報が表示されているときに前記ヘルプキーが操作された場合、前記制御手段は、前記表示手段に画像形成が開始できない旨の詳細を表示させることを特徴とする。
【００３０】
また本発明は、画像形成装置において、画像データに基づいて画像を形成する画像形成手段と、ユーザからの操作入力を受付ける操作手段と、前記操作手段が操作された操作内容に応じて表示内容が変化する表示手段と、前記表示手段を制御するための制御手段とを有し、前記操作手段は、ヘルプ機能を選択するためのヘルプキーを有し、画像形成できない旨のメッセージを前記表示手段が表示しているときに前記ヘルプキーが操作された場合、前記制御手段は、前記表示手段に画像形成を開始できない旨の詳細を表示させることを特徴とする。
【００３１】
また本発明は、画像形成装置において、画像データに基づいて画像を形成する画像形成手段と、ユーザからの操作入力を受付ける操作手段と、前記操作手段が操作された操作内容に応じて表示内容が変化する表示手段と、前記表示手段を制御するための制御手段とを有し、前記操作手段は、ヘルプ機能を選択するためのヘルプキーを有し、ユーザへの操作指示を示すメッセージを前記表示手段が表示しているときに前記ヘルプキーが操作された場合、前記制御手段は、前記表示手段に前記ユーザへの操作指示の詳細を表示させることを特徴とする。
【００３２】
また本発明は、画像形成装置において、画像データに基づいて画像を形成する画像形成手段と、ユーザからの操作入力を受付ける操作手段と、メッセージとともに前記画像を形成するための条件を設定するための設定画面を表示する表示手段と、前記メッセージの詳細に関する情報を記憶する記憶手段と、前記表示手段を制御するための制御手段とを有し、前記操作手段は、ヘルプ機能を選択するためのヘルプキーを有し、前記制御手段は、前記ヘルプキーが操作されたとき、前記表示手段に表示されているメッセージと対応する前記メッセージの詳細に関する情報が前記記憶手段に記憶されている場合、前記表示手段に前記メッセージの詳細を表示させ、前記表示手段に表示されているメッセージと対応する前記メッセージの詳細に関する情報が前記記憶手段に記憶されていない場合には、前記表示手段に前記設定画面の詳細を表示させることを特徴とする。
【００３３】
また本発明は、画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、前記操作手段がユーザがヘルプ機能を選択するためのヘルプキーを有し、前記制御手段が、画像形成が開始できない旨の表示が前記表示手段によってされている状態で、前記ヘルプキーによってヘルプ機能が選択された場合、前記画像形成が開始できない旨の詳細を前記表示手段によって表示するよう制御することを特徴とする。
【００３４】
また本発明は、画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、前記操作手段がユーザがヘルプ機能を選択するためのヘルプキーを有し、前記制御手段が、ユーザへの操作指示を行う表示が前記表示手段によってされている状態で、前記ヘルプキーによってヘルプ機能が選択された場合、前記ユーザへの操作指示の詳細を前記表示手段によって表示するよう制御することを特徴とする。
【００３５】
また本発明は、画像データに基づいて用紙に画像を形成する画像形成手段と、画像形成装置の動作を制御する制御手段と、ユーザが操作入力する操作手段と、キー入力に応じて表示画面が変化する表示手段とを有する画像形成装置において、前記操作手段がユーザがヘルプ機能を選択するためのヘルプキーを有し、前記制御手段が、前記表示手段によって表示する複数のメッセージのうちのそれぞれについて、前記ヘルプ機能によってメッセージの詳細を表示可能なものであるか否かをユーザが識別するための識別情報を前記表示手段によって表示するよう制御することを特徴とする。
【発明の効果】
【００３６】
以上説明したように、本発明によれば、記憶手段にメッセージの詳細に関する情報が記憶されているメッセージを表示する場合に、メッセージの詳細を表示可能であることを示す識別情報を表示するので、ユーザの使い勝手を向上させた画像形成装置を提供することができる。
【００３７】
また、画像形成を開始できない旨のメッセージを表示しているときに、ヘルプキーが操作されたら、その詳細を表示するので、ユーザに対して画像形成装置の動作状態に応じたヘルプを行い、使い勝手を向上させた画像形成装置を提供することができる。
【００３８】
また、ユーザへの操作指示を示すメッセージを表示しているときにヘルプキーが操作されたら、ユーザへの操作指示の詳細を表示するので、ユーザが知りたい情報に到達する時間を短縮することが可能な画像形成装置を提供することができる。
【発明を実施するための最良の形態】
【００３９】
以下、本発明の実施の形態を図面を参照して説明する。
【００４０】
図１は、本発明による画像形成装置の一実施の形態の構成を示す概略断面図である。本実施の形態では画像形成装置として電子写真方式の複写機を例に挙げて説明する。
【００４１】
ここで、図１を参照して本実施の形態による画像形成装置１００の構成および基本動作について説明する。
【００４２】
なお、本実施の形態ではカラー画像の画像形成が可能な画像形成装置について説明するが、本発明はこれに限られたものではなく、モノクロの画像形成のみが可能な画像形成装置にも適用可能であることは言うまでもない。
【００４３】
画像形成装置１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００４４】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００４５】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、この図では図示されていないが、原稿読み取りユニットにＡＤＦ（自動原稿送り装置）を備えるものであってもよい。
【００４６】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００４７】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００４８】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００４９】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００５０】
図２は、図１に示した画像形成装置１００の制御に関する構成を示すブロック図である。
【００５１】
図２に示すように、画像形成装置１００は、全体の制御を行う制御手段１０１と、原稿読み取りユニット１を有し、原稿から画像を読み取る画像読取手段１０５と、原稿書き込みユニット１５３Ｙ、１５３Ｍ、１５３Ｃ、１５４Ｋを有し、たとえば紙などの画像形成用紙に画像を形成する画像形成手段１０６と、画像読取手段１０５によって読み取った画像データやそのほか、制御手段１０１で実行するプログラム、画像形成装置１００の動作に必要なパラメータ等を記憶する記憶手段１０２と、画像形成装置１００からユーザに対して情報表示したり、ユーザが画像形成装置１００に対する操作、指示等を入力する操作手段１０３と、画像形成した用紙をステイプル止めしたり、ファイリング用の穴あけをしたりする後処理装置１１０とを有して構成される。
【００５２】
操作手段１０３は、たとえば、後述のタッチパネル式の操作パネル１１５と固定ボタン式の操作部（図示せず）とを有して構成される。本実施の形態において、ユーザがヘルプ機能を選択するためのヘルプキー（図示せず）は固定ボタン式の操作部に設けられているものとするが、操作パネル１１５にヘルプキーを設けるようにしてもかまわない。
【００５３】
また、この操作手段１０３は、ＣＲＴ、液晶、ＥＬ等の表示パネル部と、表示パネルのボタン位置に対応した座標位置の検出を行うタッチパネル、マウス等の入力装置部とを含むものであってもよい。
【００５４】
次に、本実施の形態の動作について図面を参照しながら詳細に説明する。
【００５５】
図３は、図１に示した本実施の形態の画像形成装置１００におけるヘルプ機能の処理の流れの一例を示すフローチャートである。
【００５６】
画像形成装置１００の制御手段１０１では操作手段１０３においてヘルプキーがユーザによって押下されたことを検出する（Ａ−１）。
【００５７】
制御手段１０１では、ユーザによってヘルプキーが押下されたことを検出すると、操作手段１０３の操作パネル１１５に現在表示中のメッセージを確認する（Ａ−２）。
【００５８】
次に制御手段１０１では、現在表示中のメッセージが「スタート不可のメッセージ」であるか、すなわち、たとえばユーザが操作手段１０３によってコピースタートを指示したにもかかわらずスタートされず、コピースタートができないという旨のメッセージが表示されている状態、画像形成が開始できない旨の表示がされている状態であるか否かを判断する（Ａ−３）。
【００５９】
現在「スタート不可のメッセージ」が表示された状態であるならば、その表示している「スタート不可のメッセージ」に対する説明であるヘルプ画面を操作手段１０３において表示する（Ａ−４）。この表示する内容は、記憶手段１０２に予め記憶しておき、必要に応じて読み出すようにすればよい。
【００６０】
ステップ（Ａ−３）において、現在「スタート不可のメッセージ」が表示された状態でないならば、現在表示中の画面に対する対する説明であるヘルプ画面を操作手段１０３において表示する（Ａ−５）。この表示する内容も、記憶手段１０２に予め記憶しておき、必要に応じて読み出すようにすればよい。
【００６１】
次に、本実施の形態の動作の図３とは別の状況における処理について説明する。
【００６２】
図４は、図１に示した本実施の形態の画像形成装置１００におけるヘルプ機能の処理の流れの一例を示すフローチャートであって、図３とは別の例を示す図である。
【００６３】
画像形成装置１００の制御手段１０１では操作手段１０３においてヘルプキーがユーザによって押下されたことを検出する（Ｂ−１）。
【００６４】
制御手段１０１では、ユーザによってヘルプキーが押下されたことを検出すると、操作手段１０３の操作パネル１１５に現在表示中のメッセージを確認する（Ｂ−２）。
【００６５】
次に制御手段１０１では、現在表示中のメッセージが「ユーザへの操作指示メッセージ」であるか、すなわち、たとえば紙詰まりなどでユーザに対して画像形成装置１００のドアの開閉を指示したり、ユーザに対して操作手順を通知したり、操作の変更を促すなどの操作指示を行うメッセージが表示されている状態であるか否かを判断する（Ｂ−３）。
【００６６】
現在「ユーザへの操作指示メッセージ」が表示された状態であるならば、その表示している「ユーザへの操作指示メッセージ」に対する説明であるヘルプ画面を操作手段１０３において表示する（Ｂ−４）。この表示する内容は、記憶手段１０２に予め記憶しておき、必要に応じて読み出すようにすればよい。
【００６７】
ステップ（Ｂ−３）において、現在「ユーザへの操作指示メッセージ」が表示された状態でないならば、現在表示中の画面に対する対する説明であるヘルプ画面を操作手段１０３において表示する（Ｂ−５）。この表示する内容も、記憶手段１０２に予め記憶しておき、必要に応じて読み出すようにすればよい。
【００６８】
次に、本実施の形態の動作の図３および図４とは別の状況における処理について説明する。
【００６９】
図５は、図１に示した本実施の形態の画像形成装置１００におけるヘルプ機能の処理の流れの一例を示すフローチャートであって、図３および図４とは別の例を示す図である。
【００７０】
画像形成装置１００の制御手段１０１では操作手段１０３においてヘルプキーがユーザによって押下されたことを検出する（Ｃ−１）。
【００７１】
制御手段１０１では、ユーザによってヘルプキーが押下されたことを検出すると、操作手段１０３の操作パネル１１５に現在表示中のメッセージを確認する（Ｃ−２）。
【００７２】
次に制御手段１０１では、現在表示中のメッセージが「ヘルプ機能が有効なメッセージ」であるか、たとえば画像形成装置１００の記憶手段１０２においてそのメッセージと対応付けてヘルプ画面を予め保存して用意してあるメッセージが表示されている状態であるか否かを判断する（Ｃ−３）。なお、この判断は、たとえば、記憶手段１０２に、現在表示中のメッセージと対応付けてヘルプ画面が予め保存されているか否かを判断することにより行うことができる。また、この対応付けがされて保存されている場合にはその旨を示す対応情報を予め記憶しておき、判断の際はこの対応情報を参照するようにしてもよい。
【００７３】
また、本実施の形態では、画像形成装置１００の記憶手段１０２に、メッセージと対応付けてヘルプ画面を予め保存して用意してある場合には、ヘルプ画面が予め保存してあることをユーザが識別できるように、現在表示中のメッセージを表示する際に、そのメッセージとともに「ヘルプ参照」という識別情報が表示されているものとする。
【００７４】
現在「ヘルプ機能が有効なメッセージ」が表示された状態であるならば、その表示している「ヘルプ機能が有効なメッセージ」に対する説明であり、メッセージの詳細に関する情報であるヘルプ画面を操作手段１０３において表示する（Ｃ−４）。メッセージの詳細に関する情報は、記憶手段１０２に、予めメッセージと対応付けて記憶しておき、必要に応じて読み出すようにすればよい。
【００７５】
ステップ（Ｃ−３）において、現在「ヘルプ機能が有効なメッセージ」が表示された状態でないならば、すなわちヘルプ機能が有効ではないメッセージが表示されている状態であるならば、現在表示中の画面に対する説明であるヘルプ画面を操作手段１０３において表示する（Ｃ−５）。現在表示中の画面に対する説明であるヘルプ画面も、記憶手段１０２に、現在表示中の設定画面に関する情報と対応付けて予め記憶しておき、必要に応じて読み出すようにすればよい。
【００７６】
次に、本実施の形態の画像形成装置１００によるヘルプ機能によって表示される画面の具体例を図面を参照しながら説明する。
【００７７】
図６は、図１に示した本実施の形態の画像形成装置１００の操作手段１０３に含まれる操作パネル１１５の表示内容の一例を示す図であって、ステイプル止め位置の指定をする画面の図である。
【００７８】
図６の操作パネル１１５では、画像形成装置１００の後処理装置１１０によってステイプル止めする処理をユーザが選択した場合において、その止め位置をユーザが選択するための操作画面を示している。
【００７９】
この具体例では、図６の操作パネル１１５において、ユーザがボタン１１５ａを押下することによって「２ヵ所左」すなわち原稿の左側の２ヵ所をステイプル止めする指定を選択した場合について説明する。
【００８０】
さらに図７は、図１に示した本実施の形態の画像形成装置１００の操作手段１０３に含まれる操作パネル１１５の表示内容の一例を示す図であって、両面印刷をする際のとじ方向の指定をする画面の図である。
【００８１】
図７の操作パネル１１５では、画像形成装置１００によって両面印刷する際に、画像形成した原稿のとじ方向に応じて、用紙の裏面に印刷する向きを決めるための、両面印刷をする際のとじ方向を設定選択するための操作画面を示している。
【００８２】
この具体例では、ユーザが、図６の操作をした上で、図７の操作パネル１１５において、ユーザがボタン１１５ｂを押下することによって「上とじ」すなわち原稿の上側をとじる指定を選択した場合について説明する。
【００８３】
このように、図６および図７の操作がされると、画像形成装置１００では図８のような表示を行う。
【００８４】
図８は、図１に示した本実施の形態の画像形成装置１００の操作手段１０３に含まれる操作パネル１１５の表示内容の一例を示す図であって、図６および図７に示した操作がされた場合に表示する画面の図である。
【００８５】
この図８の操作パネル１１５では、表示領域１１５ｃに「ステイプル位置を変更するか  とじしろ方向を変更してください」と表示している。これは、指定されたステイプル位置と指定されたとじしろ方向とが合致しないため、画像形成を開始できない場合に、ユーザに操作指示を与えるためのメッセージの例である。
【００８６】
ところがユーザは、この表示のみでは、この表示領域１１５に表示された内容が意味する真意を理解することができない、どのように対処すればよいのかがわからない場合がある。このような場合に、ユーザが操作手段１０３に設けられたヘルプキーを押下すると、画像形成装置１００の操作パネル１１５は図９に示すような表示に切り替わり、表示領域１１５に表示されたメッセージに対するヘルプを表示する。
【００８７】
図９は、図１に示した本実施の形態の画像形成装置１００の操作手段１０３に含まれる操作パネル１１５の表示内容の一例を示す図であって、図８の状態でヘルプキーが押下された場合に表示する画面の図である。
【００８８】
画像形成装置１００では、図７のように「上とじ」が指定されると、画像形成された用紙の上側をとじたときに、両面印刷された表面と裏面とがそのままで見やすいように、意図的に用紙の裏面に印刷する際に上下を逆にして印刷する。ところが、図６のように「２ヵ所左」でステイプル止めを行ってしまうと、表面は上下そのままで印刷され裏面は上下逆に印刷されたものは非常に見づらくなってしまう。そこで、画像形成装置１００では図８の表示領域１１５ｃのようなメッセージを表示している。
【００８９】
このような状況において、ユーザによっては、図８の表示領域１１５ｃのようなメッセージだけではその対処方法がわからず、戸惑ってしまうことになる。そこで、本実施の形態ではユーザがヘルプキーを押下することによって図９の画面を表示し、ユーザにより詳細な情報を伝えることが可能なように構成している。
【００９０】
このように本実施の形態によれば、画像形成装置１００が、表示したメッセージに対するヘルプを表示することができ、ユーザに対してより詳細な情報を提供することができる。
【００９１】
また、すべての表示メッセージに対してヘルプ画面を用意していない場合には、ヘルプ画面を用意してあるメッセージか否かをユーザが認識することができるようにするのが望ましい。この例を図１０に示す。
【００９２】
図１０に示す例では、表示領域１１５ｃに「ステイプル位置を変更するか  とじしろ方向を変更してください」と表示しており、このメッセージがヘルプ画面を用意してあるメッセージであることをユーザに伝えるために、表示領域１１５ｃに「「ＨＥＬＰを参照」」と追記してある。これが、「前記操作手段によって表示する複数のメッセージのうちのそれぞれについて、前記ヘルプ機能によってメッセージの詳細を表示可能なものであるか否かをユーザが識別するための識別情報」の一実施形態である。このようにすることによって、ユーザに明確にヘルプ画面の有無を伝えることができる。
【００９３】
また、ヘルプ画面が用意されていないメッセージである場合には、「ＨＥＬＰ参照」と追記せずに図８のように表示することができ、ヘルプ画面が用意されていないメッセージが表示されている状態で、ヘルプキーが押下された場合には、図１３に示すように、現在表示されている設定画面の詳細情報であるヘルプ画面を表示することが好ましい。
【図面の簡単な説明】
【００９４】
【図１】本発明による画像形成装置の一実施の形態の構成を示す概略断面図である。本実施の形態では画像形成装置として電子写真方式の複写機を例に挙げて説明する。
【図２】図１に示した画像形成装置１００の制御に関する構成を示すブロック図である。
【図３】図１に示した本実施の形態の画像形成装置１００におけるヘルプ機能の処理の流れの一例を示すフローチャートである。
【図４】図１に示した本実施の形態の画像形成装置１００におけるヘルプ機能の処理の流れの一例を示すフローチャートであって、図３とは別の例を示す図である。
【図５】図１に示した本実施の形態の画像形成装置１００におけるヘルプ機能の処理の流れの一例を示すフローチャートであって、図３および図４とは別の例を示す図である。
【図６】図１に示した本実施の形態の画像形成装置１００の操作手段１０３に含まれる操作パネル１１５の表示内容の一例を示す図であって、ステイプル止め位置の指定をする画面の図である。
【図７】図１に示した本実施の形態の画像形成装置１００の操作手段１０３に含まれる操作パネル１１５の表示内容の一例を示す図であって、両面印刷をする際のとじ方向の指定をする画面の図である。
【図８】図１に示した本実施の形態の画像形成装置１００の操作手段１０３に含まれる操作パネル１１５の表示内容の一例を示す図であって、図６および図７に示した操作がされた場合に表示する画面の図である。
【図９】図１に示した本実施の形態の画像形成装置１００の操作手段１０３に含まれる操作パネル１１５の表示内容の一例を示す図であって、図８の状態でヘルプキーが押下された場合に表示する画面の図である。
【図１０】図１に示した本実施の形態の画像形成装置１００の操作手段１０３に含まれる操作パネル１１５の表示内容の一例を示す図であって、図８の状態でヘルプキーが押下された場合に表示する画面の図である。
【図１１】従来の画像形成装置の操作パネルにおける表示例を示す図であって、（ａ）はヘルプキー押下前の表示画面の例を示す図であり、（ｂ）はヘルプキー押下後の表示画面の例を示す図である。
【図１２】従来の画像形成装置の操作パネルにおける表示例を示す図であって、（ａ）はヘルプキー押下後の表示画面の図１１（ｂ）とは別の例を示す図であり、（ｂ）は（ａ）でハードキーを選択した場合の表示画面の例を示す図である。
【図１３】ヘルプ画面が用意されていないメッセージが表示されている状態での、現在表示されている設定画面の詳細情報であるヘルプ画面を表示すする表示画面の例を示す図である。
【符号の説明】
【００９５】
１  原稿読み取りユニット
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置
１０１  制御手段
１０２  記憶手段
１０３  操作手段
１０５  画像読取手段
１０６  画像形成手段
１１０  後処理装置
１１５  操作パネル
１１５ａ、１１５ｂ  ボタン
１１５ｃ  表示領域
２００  表示画面
２０１  ボタン
【図１】
2005037886.tif 000003
【図２】
2005037886.tif 000004
【図３】
2005037886.tif 000005
【図４】
2005037886.tif 000006
【図５】
2005037886.tif 000007
【図６】
2005037886.tif 000008
【図７】
2005037886.tif 000009
【図８】
2005037886.tif 000010
【図９】
2005037886.tif 000011
【図１０】
2005037886.tif 000012
【図１１】
2005037886.tif 000013
【図１２】
2005037886.tif 000014
【図１３】
2005037886.tif 000015